(57)【要約】【課題】天板高さを変更した場合においても、什器としての体裁を良好なものとすると共に、使用時の安全性を高めることができる天板昇降式什器を提供する。【解決手段】天板昇降式什器２０は、第１、第２の伸縮脚体３４，３５に第一天板４３が支持され、第一天板の上面に作業面が形成されている。第一天板に第１、第２の天板支持部３７，３８を介して第二天板４８が支持されている。第二天板は、第一天板の周縁部の右端部、左端部に端部が近接すると共に、第一天板の作業面と略同一面の作業面を有する。第二天板は、第一天板の高さを変更させることにより、第二天板の下方方向から外力が加わった際に、第一天板より上方に移動可能とした。【選択図】図３
2019155012.tif 000002
【特許請求の範囲】
【請求項１】
床面上に載置された支持体と、前記支持体に設けられて上下方向に延び、上下方向の長さを調整可能な伸縮脚体と、前記伸縮脚体によって支持され、上面に作業面が形成された天板と、を有する天板昇降式什器であって、
前記天板に支持部を介して支持され、前記天板の周縁部の一部において、前記天板の周縁部に端部が近接すると共に、前記天板の作業面と略同一面の作業面を形成する第二天板を備え、
前記第二天板は、前記天板の高さを変更させることによって前記天板の下方方向から外力が加わった際に、前記天板より上方に移動可能としたことを特徴とする天板昇降式什器。
【請求項２】
前記支持部は、前記天板から離れる方向に向けて側方に突出して設けられ、
前記支持部に前記第二天板が載置されていることを特徴とする請求項１に記載の天板昇降式什器。
【請求項３】
前記支持部は、前記第二天板を磁着可能とすることを特徴とする請求項２に記載の天板昇降式什器。
【請求項４】
前記支持部は、前記第二天板を枢軸を介して前記天板に上方へ向けて回動可能に支持することを特徴とする請求項１または請求項２に記載の天板昇降式什器。
【発明の詳細な説明】
【技術分野】
【０００１】
本発明は、天板昇降式什器に関する。
【背景技術】
【０００２】
オフィスや公共施設等の執務空間においては、前後、左右に隣接して複数のデスク装置を配置するレイアウトや、デスク装置を壁面に隣接して配置するレイアウトが多くみられる。こうしたレイアウトにおいては、デスク装置が、隣接して配置されたデスクや壁面に対して所定の離間距離で一定に保たれて配置されている方が、体裁が良好であると共に執務者に公平感を与えることが出来、望ましかった。
また、天板位置が上下に変更可能とされた天板昇降式のデスクにおいては、隣接して配置されたデスク同士の間に所定の距離が設けられる。よって、天板上に載置した物品が天板から側方に突出して置かれる場合や、天板の軌道上に物品が配置される場合においても、デスクの天板と他の物品（他のデスクの天板等）との間に、物品が挟まるのを防止することが出来る。
【０００３】
デスク同士を所定の離間距離で固定する方法としては、例えば特許文献１〜６に開示されているように、デスク同士を連結するのが最も一般的かつ簡易的な方法である。こうした方法の一つとしては、隣接して配置された各デスクの部位同士を連結金具等で固定する方法が多く見られている。
これらの構造によれば、安定的かつ確実でありながら簡易的な構成でデスク同士を連結することによって、デスク同士を所定の離間距離に固定することができる。
【先行技術文献】
【特許文献】
【０００４】
【特許文献１】特許第４１３０２８４号公報
【特許文献２】特開２０１２―０９０６９１号公報
【特許文献３】特開２００８−０９３２５３号公報
【特許文献４】特許第４９７２７５９号公報
【特許文献５】特開２０１６−８６８８３号公報
【特許文献６】特開２０１６−８７０３０号公報
【発明の概要】
【発明が解決しようとする課題】
【０００５】
しかしながら、特許文献１〜４の天板昇降式什器の場合、デスク側に連結金具を固定するための加工を施す必要がある。このため、デスク同士を連結することなく単体で使用する場合や、他のデスクを連結しない側等に加工部分が露呈することになり、体裁が悪くなってしまうと共に、加工工数およびコストが掛かるという問題も有していた。また、連結金具が外部に露呈することになるため、体裁が悪くなってしまうという問題も有していた。
【０００６】
本発明は、このような従来の課題に鑑みてなされたものであり、天板高さを変更した場合においても、什器としての体裁を良好なものとすると共に、使用時の安全性を高めることができる天板昇降式什器を提供することを目的とする。
【課題を解決するための手段】
【０００７】
本発明の天板昇降式什器は、床面上に載置された支持体と、前記支持体に設けられて上下方向に延び、上下方向の長さを調整可能な伸縮脚体と、前記伸縮脚体によって支持され、上面に作業面が形成された天板と、を有する天板昇降式什器であって、前記天板に支持部を介して支持され、前記天板の周縁部の一部において、前記天板の周縁部に端部が近接すると共に、前記天板の作業面と略同一面の作業面を形成する第二天板を備え、前記第二天板は、前記天板の高さを変更させることによって前記天板の下方方向から外力が加わった際に、前記天板より上方に移動可能としたことを特徴とする。
【０００８】
このように、天板が伸縮脚体に支持され、天板に支持部を介して第二天板が支持される。第二天板の端部が天板の周縁部の一部に近接した状態において、第二天板の作業面が天板の上面と略同一面となるように配置される。よって、天板の高さを伸縮脚体で変更させた状態において、例えば支持部を執務者から隠すことができる。これにより、什器としての体裁を良好なものとすることができる。
また、天板の高さを伸縮脚体で変更させることにより、第二天板に下方方向から外力が加わった際に、第二天板を外力で天板より上方に移動可能とした。これにより、使用時の安全性を高めることができる。
このように、天板昇降式什器によれば、天板高さを変更した場合においても、什器としての体裁を良好なものとすると共に、使用時の安全性を高めることができる。
【０００９】
本発明では、前記支持部は、前記天板から離れる方向に向けて側方に突出して設けられ、前記支持部に前記第二天板が載置されていることが好ましい。
このように、支持部を天板から離れる側方に向けて突出させ、支持部に第二天板を載置するようにした。よって、簡易的な構造でありながら、第二天板を支持部で確実（良好）に支持することができる。
また、第二天板の下方方向から外力が加わった際に、第二天板を外力で支持部から上方に移動させることができる。これにより、使用時の安全性を高めることができる。
【００１０】
本発明では、前記支持部は、前記第二天板を磁着可能とすることが好ましい。
これにより、支持部の磁石で第二天板を磁着することにより、第二天板を支持部で確実（良好）に支持することができる。
また、第二天板の下方方向から外力が加わった際に、第二天板を外力で支持部から上方に移動させることができる。これにより、使用時の安全性を高めることができる。
【００１１】
本発明では、前記支持部は、前記第二天板を枢軸を介して前記天板に上方へ向けて回動可能に支持することが好ましい。
これにより、天板に枢軸を介して第二天板が上方に回動可能に取付けられている。よって、第二天板の下方方向から外力が加わった際に、第二天板を枢軸を中心として上方へ向けて移動させることができる。これにより、使用時の安全性を高めることができる。
また、第二天板を枢軸を中心として上方へ向けて移動させる場合、第二天板を支持部に連結した状態に保つことができる。よって、第二天板を上方に移動させる際に第二天板を紛失することを防止できる。これにより、天板昇降式什器の使用時の利便性を高めることができる。
【発明の効果】
【００１２】
本発明の天板昇降式什器によれば、天板高さを変更した場合においても、什器としての体裁を良好なものとすると共に、使用時の安全性を高めることができる。
【図面の簡単な説明】
【００１３】
【図１】本発明に係る第１実施形態の天板昇降式什器システムを示す斜視図である。
【図２】第１実施形態の天板昇降式什器システムを示す正面図である。
【図３】第１実施形態の天板昇降式什器システムを示す分解斜視図である。
【図４】第１実施形態の天板昇降式什器を示す分解斜視図である。
【図５】本発明に係る第２実施形態の天板昇降式什器を示す斜視図である。
【図６】第２実施形態の天板昇降式什器の要部を示す正面図である。
【図７】第２実施形態の天板昇降式什器の第二天板を上方に向けて移動させた状態を示す正面図である。
【発明を実施するための形態】
【００１４】
次に、本発明の実施形態を図面に基づいて説明する。なお、実施形態において、同一、類似の構成については同じ符号を付して重複する説明を省略する場合がある。また、図１において、手前の天板（第１デスク天板）１１の執務者１０側を後方向、執務者１０の正面から離れる側を前方向（ＦＲ方向）、執務者１０の左側を左方向（ＬＨ方向）、執務者１０の右側を右方向として説明する。さらに、第１デスク天板１１から上方へ向かう方向を上方向（ＵＰ方向）として説明する。
【００１５】
[第１実施形態]
本発明の第１実施形態による天板昇降式什器システム１を図１〜図４に基づいて説明する。図１は、本発明に係る第１実施形態の天板昇降式什器システム１を示す斜視図である。図２は、天板昇降式什器システム１を示す正面図である。
図１、図２に示すように、天板昇降式什器システム１は、執務室の床面Ｆに設置されている。天板昇降式什器システム１は、複数のデスク支持体３〜５と、複数のビーム７と、複数のデスク天板１１、１２と、左右側の天板昇降式什器２０とを備えている。
【００１６】
以下、複数のデスク支持体３〜５を、左デスク側板３と、右デスク側板４と、中央デスク脚部５として説明する。左デスク側板３、右デスク側板４および中央デスク脚部５は、床面Ｆ上に左右方向へ離間して立設されている。左デスク側板３、右デスク側板４および中央デスク脚部５に複数のデスク天板１１，１２が支持されている。
左デスク側板３は、側面視矩形状に形成され、天板昇降式什器システム１の左側に設けられている。左デスク側板３の上部３ａに、複数のデスク天板１１，１２の左端部１１ａ，１２ａが支えられている。
【００１７】
右デスク側板４は、左デスク側板３と同様に側面視矩形状に形成され、天板昇降式什器システム１の右側に立設されている。右デスク側板４の上部４ａに、複数のデスク天板１１，１２の右端部１１ｂ，１２ｂが支えられている。
中央デスク脚部５は、側面視Ｔ字状に形成され、天板昇降式什器システム１の左右方向の中央に立設されている。中央デスク脚部５の上部５ａに、複数のデスク天板１１，１２の中央部１１ｃ，１２ｃが支えられている。
【００１８】
図３は、天板昇降式什器システム１を示す分解斜視図である。
図２、図３に示すように、左デスク側板３の上部３ａおよび中央デスク脚部５の上部５ａは、天板昇降式什器システム１の左半部に配置された一対のビーム７で連結されている。左側に配置された一対のビーム７は、前後方向に所定間隔Ｌ１をおいて平行に配置されている。一対のビーム７間に複数の連結部２１が左右方向に間隔をおいて配置されている。
【００１９】
右デスク側板４の上部４ａおよび中央デスク脚部５の上部５ａが、天板昇降式什器システム１の右側に配置された一対のビーム７で連結されている。右側に配置された一対のビーム７は、左側に配置された一対のビーム７と同様に、前後方向に所定間隔Ｌ１をおいて平行に配置されている。一対のビーム７間に複数の連結部２１が左右方向に間隔をおいて配置されている。
すなわち、左デスク側板３、右デスク側板４および中央デスク脚部５は、複数のビーム７で一体に連結されている。
【００２０】
図１、図２に戻って、左デスク側板３、右デスク側板４および中央デスク脚部５に複数のデスク天板１１，１２が架設されている。以下、複数のデスク天板１１、１２を、第１デスク天板１１、第２デスク天板１２として説明する。第１デスク天板１１は、天板昇降式什器システム１の後側（執務者１０側）に配置されている。第２デスク天板１２は、天板昇降式什器システム１の前側に配置されている。
【００２１】
第１、第２のデスク天板１１，１２は、前後のビーム７の所定間隔と同様に、天板昇降式什器システム１の前後方向に所定間隔Ｌ１をおいて離間された状態で配置されている。第１デスク天板１１は、左デスク側板３の上部３ａ、中央デスク脚部５の上部５ａ、および右デスク側板４の上部４ａの各後半部に架設されている。さらに、第１デスク天板１１は、前端部１１ｄがビーム７の上部に載置されている。
第２デスク天板１２は、第１デスク天板１１に対して前方へ所定間隔Ｌ１をおいて配置されている。第２デスク天板１２は、左デスク側板３の上部３ａ、中央デスク脚部５の上部５ａ、右デスク側板４の上部４ａの各前半部に架設されている。さらに、第２デスク天板１２は、後端部１２ｄがビーム７の上部に載置されている。
【００２２】
図３に示すように、第１、第２のデスク天板１１，１２が前後方向に所定間隔Ｌ１おいて配置されることにより、第１、第２のデスク天板１１，１２間において、左右方向に連続する什器空間２３が形成されている。左側の什器空間２３は、左デスク側板３と中央デスク脚部５との間に形成されている。右側の什器空間２３は、右デスク側板４と中央デスク脚部５との間に形成されている。左右の什器空間２３は平面視矩形状に形成されている。
左側の什器空間２３に左側の天板昇降式什器２０が配置されている。さらに、右側の什器空間２３に右側の天板昇降式什器２０が配置されている。左側の天板昇降式什器２０は、右側の天板昇降式什器２０と同様の構成であり、以下、右側の天板昇降式什器２０を天板昇降式什器２０として詳しく説明する。
【００２３】
図４は、天板昇降式什器２０を示す分解斜視図である。
図３、図４に示すように、天板昇降式什器２０は、第１、第２の支持体３１，３２と、第１、第２の伸縮脚体３４，３５と、第１、第２の天板支持部（支持部）３７，３８と、配線支持部（配線トレー）４１と、第一天板（天板）４３と、第１、第２の軟質部材４５，４６と、一対の第二天板４８とを備えている。
【００２４】
第１支持体３１および第２支持体３２は、左右方向に間隔をおいて、中央デスク脚部５および右デスク側板４にそれぞれ近接して配置されている。第１支持体３１および第２支持体３２は、床面Ｆ上に載置されている。
第１支持体３１に第１伸縮脚体３４が設けられている。第１伸縮脚体３４は、第１支持体３１から中央デスク脚部５に沿って上方へ向けて立ち上げられている。第１伸縮脚体３４は、上端部が第１ブラケット５１を介して連結部２１に連結されている。すなわち、第１伸縮脚体３４は、第１支持体３１上に設けられて上下方向に延びている。
【００２５】
第１伸縮脚体３４は、横断面矩形に形成された多重管からなる支柱である。多重管とは、複数の管３４ａ，３４ｂ，３４ｃを入れ子にして構成された管をいう。複数の管３４ａ，３４ｂ，３４ｃは、横断面の形状が矩形である。なお、複数の管３４ａ，３４ｂ，３４ｃの横断面の形状は、矩形の他に、円形、楕円形、多角形等、様々な形状が可能である。
【００２６】
第２支持体３２に第２伸縮脚体３５が設けられている。第２伸縮脚体３５は、第２支持体３２から右デスク側板４に沿って上方へ向けて立ち上げられている。第２伸縮脚体３５は、上端部が第２ブラケット５２を介して連結部２１に連結されている。すなわち、第２伸縮脚体３５は、第２支持体３２上に設けられて上下方向に延びている。
第２伸縮脚体３５は、第１伸縮脚体３４と同様に、横断面矩形に形成された多重管からなる支柱である。複数の管３５ａ，３５ｂ，３５ｃは、横断面の形状が矩形である。なお、複数の管３５ａ，３５ｂ，３５ｃの横断面の形状は、矩形の他に、円形、楕円形、多角形等、様々な形状が可能である。
【００２７】
第１伸縮脚体３４の複数の管３４ａ，３４ｂ，３４ｃと、第２伸縮脚体３５の複数の管３５ａ，３５ｂ，３５ｃとは、操作スイッチ５４の操作により伸縮する。操作スイッチ５４は、第１デスク天板１１の右前部１１ｅに取り付けられている。
操作スイッチ５４を操作することにより操作入力部５５に信号が入力され、操作入力部５５に入力された入力信号に基づいて駆動手段が動作する。操作入力部５５は、第１デスク天板１１の右端部１１ｂ近傍に取り付けられている。駆動手段は、第１伸縮脚体３４内と第２伸縮脚体３５内とに配設されている。駆動手段が動作することにより、第１伸縮脚体３４の複数の管３４ａ，３４ｂ，３４ｃと、第２伸縮脚体３５の複数の管３５ａ，３５ｂ，３５ｃと、が電動で上下に伸縮する。
これにより、第１伸縮脚体３４と第２伸縮脚体３５との上下方向の長さ寸法を調整することができる。
【００２８】
第１伸縮脚体３４の管３４ｃの上端部に、第１天板支持部３７が取り付けられている。第２伸縮脚体３５の管３５ｃの上端部に、第２天板支持部３８が取り付けられている。第１天板支持部３７および第２天板支持部３８は左右対称の部材であり、以下、第１天板支持部３７および第２天板支持部３８の各構成部材に同じ符号を付して、第２天板支持部３８について詳しく説明する。
【００２９】
第２天板支持部３８は、連結支持部５７と、連結ブラケット５８とを備えている。連結支持部５７は、平面視Ｕ字状に折り曲げられ、Ｕ字状の内部に取付板５９を有する。取付板５９が第２伸縮脚体３５の管３５ｃの上端部に取り付けられている。連結支持部５７の上端部５７ａに連結ブラケット５８が取り付けられている。
第１伸縮脚体３４の管３４ｃの上端部に、第１天板支持部３７が取り付けられている。第１天板支持部３７は、第２天板支持部３８と同様に、取付板（図示せず）を介して第１伸縮脚体３４の管３４ｃの上端部に取り付けられている。連結支持部５７の上端部５７ａに連結ブラケット５８が取り付けられている。
左右側の連結支持部５７の下端片５７ｂに配線支持部４１が水平に架け渡された状態で取り付けられている。
【００３０】
図１に示すように、配線支持部４１にテーブルタップ（電源タップ）６１やＬＡＮポート（Local Area Network）（図示せず）等が載置されている。テーブルタップ６１やＬＡＮポート等は、配線支持部４１の上面に磁着されている。よって、テーブルタップ６１やＬＡＮポート等は配線支持部４１の上面に安定的に支持されている。
これにより、例えば、パーソナルコンピュータ６２のコンセント６３によるテーブルタップ６１の差込口への差込、抜取作業を容易にできる。この結果、テーブルタップ６１の使用時の使い勝手を良好なものとすることができる。
【００３１】
また、ＬＡＮポートの差込口へのＬＡＮケーブルの差込、抜取作業を容易にでき、ＬＡＮポートの使用時の使い勝手を良好なものとすることができる。
さらに、配線支持部４１の上面にテーブルタップ６１やＬＡＮポートを磁着により支持することにより、天板昇降式什器システム１に市販のテーブルタップ６１やＬＡＮポートを採用することが可能になる。よって、天板昇降式什器システム１に専用のテーブルタップやＬＡＮポートを備える必要がなく、天板昇降式什器システム１のコストを抑えることができる。
【００３２】
図３、図４に戻って、左右側の連結支持部５７の各上端片５７ｃに第一天板４３が架け渡された状態に水平に取り付けられている。すなわち、第一天板４３は、左右側の連結支持部５７を介して第１伸縮脚体３４および第２伸縮脚体３５に支持されている。第一天板４３は、什器空間２３を上方から覆うように平面視矩形状に形成され、かつ、上面が平坦な作業面４３ａに形成されている。
第一天板４３の後辺部４３ｂには第１軟質部材４５が取り付けられている。第一天板４３の前辺部４３ｃには、第２軟質部材４６が取り付けられている。第１軟質部材４５および第２軟質部材４６は、例えば樹脂材やゴム材等で弾性変形可能に形成されている。
【００３３】
第一天板４３は、第１伸縮脚体３４および第２伸縮脚体３５を電動により上下に伸縮させることにより、第一天板４３を下降位置Ｐ１（図２参照）と、上昇位置Ｐ２（図２参照）とに配置できる。
下降位置Ｐ１は、第一天板４３の作業面４３ａが第１デスク天板１１の上面１１ｆ（図１参照）や、第２デスク天板１２の上面１２ｅ（図１参照）に対して面一に配置される位置である。
【００３４】
第２天板支持部３８は、連結支持部５７の上端部５７ａに連結ブラケット５８が取り付けられている。連結ブラケット５８は、上端部において前後方向の両端部に一対の支え片７１を有する。一対の支え片７１は、第一天板４３から離れる方向に向けて側方（水平）に突出されている。一対の支え片７１は、例えば、第二天板４８を磁着可能に磁石を備えている。
一対の支え片７１に第二天板４８が上方から載置されている。第二天板４８は、一対の支え片７１に磁着可能に、例えば金属製の部材で、平面視矩形状に形成されている。一対の支え片７１の磁石で第二天板４８を磁着することにより、第二天板４８を一対の支え片７１で良好（確実）に支持することができる。
すなわち、第二天板４８は、一対の支え片７１（連結ブラケット５８）および連結支持部５７を介して、第２伸縮脚体３５と第二天板４８とに支持されている。
【００３５】
また、一対の支え片７１を第一天板４３から離れる方向に向けて側方に突出させるだけの簡易的な構造でありながら、第二天板４８を一対の支え片７１で確実（良好）に支持することができる。
第二天板４８は、平面視矩形状に形成され、上面４８ａが平坦に形成されている。第二天板４８は、一対の支え片７１に載置された状態において、上面４８ａが第一天板４３の作業面４３ａに対して面一に配置される。また、第二天板４８は、第一天板４３の周縁部４３ｄの右端部（一部）４３ｅに対して端部４８ｂが近接すると共に、上面（すなわち、作業面）４８ａが第一天板４３の作業面４３ａと略同一面の作業面を形成する。
【００３６】
左側の第二天板４８も、右側の第二天板４８と同様に、第一天板４３の周縁部４３ｄの左端部（一部）４３ｆに対して端部４８ｂが近接すると共に、上面（すなわち、作業面）４８ａが第一天板４３の作業面４３ａと略同一面の作業面を形成する。
よって、第一天板４３の高さを第１伸縮脚体３４および第２伸縮脚体３５で変更させた状態において、例えば連結ブラケット５８および連結支持部５７（すなわち、第２天板支持部３８）を執務者から隠すことができる。これにより、天板昇降式什器システム１としての体裁を良好なものとすることができる。
ここで、略同一面とは、第二天板４８の作業面４８ａが第一天板４３の作業面４３ａに対して平坦に配置された状態に加えて、さらに、第一天板４３の作業面４３ａに対して、例えば第二天板４８板厚寸法程度の段差が生じた状態も含むものとする。
【００３７】
図１、図２に示すように、第一天板４３を下降位置Ｐ１に配置することにより、第１デスク天板１１、第２デスク天板１２および第一天板４３および第二天板４８の全域を、大きな天板として使用することができる。
例えば、図１に示すように、第１デスク天板１１の右半部、第２デスク天板１２の右半部、第一天板４３、および第二天板４８の全域を面一にでき、全域を大きな天板として使用することができる。よって、例えば、第１デスク天板１１の右半部、第２デスク天板１２の右半部、第一天板４３、および第二天板４８の全域に大きな資料用紙７８を広げることができる。
【００３８】
一方、左側の天板昇降式什器２０の第一天板４３および第二天板４８を上昇位置Ｐ２に配置することにより、第一天板４３と第１デスク天板１１との間や、第一天板４３と第２デスク天板１２との間に、配線支持部４１へのアクセス空間７５を形成できる。これにより、配線挿通作業を良好におこなうことができ、さらに、配線支持部４１に配置したテーブルタップ６１へのコンセント６３の抜き差しや、ＬＡＮポートへのＬＡＮケーブルの抜き差し等の作業性を良好にできる。
【００３９】
また、第一天板４３の後辺部４３ｂに第１軟質部材４５が取り付けられ、第一天板４３の前辺部４３ｃに第２軟質部材４６が取り付けられている。
よって、第一天板４３を下降位置Ｐ１に配置した際に、第一天板４３の後辺部４３ｂと第１デスク天板１１との間を第１軟質部材４５で塞いだ状態に保つことができる。この状態において、第１軟質部材４５を弾性変形させて第一天板４３の後辺部４３ｂと第２デスク天板１２との間に間隙部を確保できる。
同様に、第一天板４３の前辺部４３ｃと第２デスク天板１２との間を第２軟質部材４６で塞いだ状態に保つことができる。この状態において、第２軟質部材４６を弾性変形させて第一天板４３の前辺部４３ｃと第２デスク天板１２との間に間隙部を確保できる。
これにより、配線支持部４１のテーブルタップ６１に接続したコンセントのケーブルや、ＬＡＮポートに接続したＬＡＮケーブルのケーブルを、第１デスク天板１１の上面１１ｆや第２デスク天板１２の上面１２ｅに引き出すことができる。
【００４０】
さらに、第１軟質部材４５や第２軟質部材４６を弾性変形させることにより、第一天板４３を下降位置Ｐ１に配置する際に、第一天板４３と第１デスク天板１１との間や、第一天板４３と第２デスク天板１２との間に配置された物品が挟まるのを防止することが出来る。これにより、天板昇降式什器システム１を使用する際の安全性を高めることができる。
また、第１軟質部材４５や第２軟質部材４６で間隙部を塞ぐことにより、第１デスク天板１１上や第２デスク天板１２上の物品が間隙部から什器空間２３に落下することを防止できる。
【００４１】
さらに、第一天板４３が上昇位置Ｐ２に配置された状態において、配線支持部４１が第１デスク天板１１の上面１１ｆや第２デスク天板１２の上面１２ｅに対して面一をなす位置に配置される。
よって、配線支持部４１に配置したテーブルタップ６１やＬＡＮポート等を、執務者１０に一層近い位置に配置できる。これにより、配線挿通作業を一層良好におこなうことができ、さらに、配線支持部４１に配置したテーブルタップ６１へのコンセント６３の抜き差しや、ＬＡＮポートへのＬＡＮケーブルの抜き差し等の作業性を一層良好にできる。
【００４２】
図３、図４に示すように、例えば、第一天板４３と共に第二天板４８を下降位置Ｐ１（図２参照）に配置する際に、例えば、第二天板４８と、隣接する第二天板４８との間に物品がおかれ、第二天板４８の下方方向から外力が加わることが考えられる。この場合に、一対の支え片７１の磁着力に反して、第二天板４８を外力で一対の支え片７１から離して上方に移動させることができる。
よって、第二天板４８と、隣接する第二天板４８との間に配置された物品が挟まるのを防止することが出来る。これにより、天板昇降式什器システム１の使用時の安全性を高めることができる。
【００４３】
つぎに、第２実施形態の天板昇降式什器１００を図５〜図７に基づいて説明する。
[第２実施形態]
図５は、本発明に係る第２実施形態の天板昇降式什器１００を示す斜視図である。
図５に示すように、天板昇降式什器１００は、第１、第２の支持体１０２，１０３と、第１、第２の伸縮脚体１０５，１０６と、第１、第２の天板支持部１０８，１０９（図６参照）と、一対の第一天板（天板）１１２と、一対の第二天板１１４とを備えている。
【００４４】
一対の第１支持体１０２は、左側の第一天板１１２の下方において、左右方向に間隔をおいて配置されている。一対の第１支持体１０２は、床面Ｆ上に載置されている。一対の第１支持体１０２に第１伸縮脚体１０５が設けられている。第１伸縮脚体１０５は、第１支持体１０２から上方へ向けて立ち上げられている。すなわち、第１伸縮脚体１０５は、第１支持体１０２上に設けられて上下方向に延びている。一対の第１伸縮脚体１０５の上端部１０５ａに、左側の第一天板１１２の左端部１１２ａおよび右端部１１２ｂが支持されている。
第１伸縮脚体１０５は、横断面矩形に形成された多重管からなる支柱である。多重管の横断面の形状は、矩形の他に、円形、楕円形、多角形等、様々な形状が可能である。
【００４５】
一対の第２支持体１０３は、右側の第一天板１１２の下方において、左右方向に間隔をおいて配置されている。一対の第２支持体１０３は、床面Ｆ上に載置されている。一対の第２支持体１０３に第２伸縮脚体１０６が設けられている。第２伸縮脚体１０６は、第２支持体１０３から上方へ向けて立ち上げられている。すなわち、第２伸縮脚体１０６は、第２支持体１０３上に設けられて上下方向に延びている。一対の第２伸縮脚体１０６の上端部１０６ａに、右側の第一天板１１２の左端部１１２ａおよび右端部１１２ｂが支持されている。
第２伸縮脚体１０６は、第１伸縮脚体１０５と同様に、横断面矩形に形成された多重管からなる支柱である。多重管の横断面の形状は、矩形の他に、円形、楕円形、多角形等、様々な形状が可能である。
【００４６】
第１伸縮脚体１０５と第２伸縮脚体１０６とは、第１実施形態と同様に、電動で上下に伸縮する。第１伸縮脚体１０５と第２伸縮脚体１０６との上下方向の長さ寸法を調整することより、左右側の第一天板１１２が昇降する。
【００４７】
図６は、天板昇降式什器１００の要部を示す正面図である。
図６に示すように、左側の第一天板１１２に第１天板支持部（支持部）１０８を介して左側の第二天板１１４が支持されている。右側の第一天板１１２に第２天板支持部（支持部）１０９を介して右側の第二天板１１４が支持されている。
第１天板支持部１０８および第２天板支持部１０９は左右対称の部材であり、各構成部材に同じ符号を付して、第１天板支持部１０８について詳しく説明する。
【００４８】
第１天板支持部１０８は、枢軸１２１と、第１取付板１２２と、第２取付板１２３とを有する。第１取付板１２２の基端部および第２取付板１２３の基端部が枢軸１２１に回動自在に支持されている。すなわち、第１天板支持部１０８は、一例としてヒンジ部材が用いられている。
第１天板支持部１０８は、左側の第一天板１１２の右端部１１２ｂに第１取付板１２２が取り付けられている。また、第１天板支持部１０８は、左側の第二天板１１４の左端部１１４ａに第２取付板１２３が取り付けられている。この状態において、枢軸１２１が上方に配置されている。よって、左側の第二天板１１４は、第１天板支持部１０８の枢軸１２１を軸にして左側の第一天板１１２に上方へ回動可能に支持されている。
【００４９】
第１天板支持部１０８によれば、第１取付板１２２および第２取付板１２３が当接した状態において、左側の第一天板１１２の作業面１１２ｃと左側の第二天板１１４の作業面１１４ｂとが略同一面に配置される。よって、左側の第一天板１１２の高さを第１、第２の伸縮脚体１０５，１０６（図５参照）で変更させた状態において、例えば第１天板支持部１０８を執務者から隠すことができる。これにより、天板昇降式什器１００としての体裁を良好なものとすることができる。
また、第１天板支持部１０８を用いるだけの簡易的な構造で、左側の第二天板１１４を左側の第一天板１１２に確実に支持することができる。
【００５０】
図７は、天板昇降式什器１００の第二天板１１４を上方に向けて移動させた状態を示す正面図である。
図７に示すように、例えば、左側の第一天板１１２と共に左側の第二天板１１４を下降位置Ｐ１に配置する際に、左側の第二天板１１４と、隣接する右側の第二天板１１４との間に物品がおかれることが考えられる。物品がおかれることにより、左側の第二天板１１４の下方方向から外力が加わることが考えられる。
この場合、左側の第二天板１１４を枢軸１２１を中心として上方に向けて移動させることができる。よって、左側の第二天板１１４と、隣接する右側の第二天板１１４との間に配置された物品が挟まるのを防止することが出来る。これにより、天板昇降式什器１００の使用時の安全性を高めることができる。
【００５１】
また、左側の第二天板１１４を枢軸１２１を中心として上方に移動させた状態において、左側の第二天板１１４を第１天板支持部１０８に連結した状態に保つことができる。よって、左側の第二天板１１４を上方に移動させる際に、第二天板１１４が紛失することを防止できる。これにより、天板昇降式什器１００の使用時の利便性を高めることができる。
【００５２】
以上、図面を参照して、本発明の実施形態を詳述してきたが、具体的な構成は、この実施形態に限らず、本発明の要旨を逸脱しない程度の設計的変更は、本発明に含まれる。
例えば、第１実施形態の天板昇降式什器システム１では、一対の支え片７１に磁石を備えた例について説明したが、その他の例として一対の支え片７１に磁石を備えない構成としてもよい。
この場合、一対の支え片７１に第二天板４８が上方から載置されることにより、第二天板４８が一対の支え片７１に支持される。よって、第１実施形態と同様に、一対の支え片７１を第一天板４３から離れる方向に向けて側方に突出させるだけの簡易的な構造でありながら、第二天板４８を一対の支え片７１で支持できる。
【符号の説明】
【００５３】
１  天板昇降式什器システム
２０，１００  天板昇降式什器
３１，３２，１０２，１０３  第１、第２の支持体（支持体）
３４，３５，１０５，１０６  第１、第２の伸縮脚部（伸縮脚部）
３７，３８，１０８，１０９  第１、第２の天板支持部（支持部）
４３，１１２  第一天板（天板）
４３ａ，１１２ｃ  第一天板の作業面（上面）
４３ｄ  第一天板の周縁部
４３ｅ  第一天板の周縁部の右端部（一部）
４３ｆ  第一天板の周縁部の左端部（一部）
４８，１１４  第二天板
４８ａ，１１４ｂ  第二天板の作業面（上面）
４８ｂ  第二天板の端部
１１２ｂ  第一天板の右端部（第一天板の周縁部の一部）
１１４ａ  第二天板の左端部（第二天板の端部）
１２１  枢軸
Ｆ  床面
【図１】
2019155012.tif 000003
【図２】
2019155012.tif 000004
【図３】
2019155012.tif 000005
【図４】
2019155012.tif 000006
【図５】
2019155012.tif 000007
【図６】
2019155012.tif 000008
【図７】
2019155012.tif 000009